(57)【要約】      （修正有）【課題】少ない材料で製造することができ、材料費が嵩まず、製造コストを低減することができるフランジ養生カバーを提供する。【解決手段】管状体の端部に設けられるフランジの端面を養生するためのフランジ養生カバー１０であって、フランジの端面に設けた際に、フランジ中央のフランジ孔１３を塞ぐとともに、フランジ孔の周囲に設けられフランジが有する複数の締結用の孔としてのボルト孔１４を塞がない大きさの円形板状の養生カバー本体部１０ａと、フランジのボルト孔へ挿入し固定するための養生カバー本体部の縁部から外方へ向かって設けられた細長い固定部１０ｂとを備える。【選択図】図１
0003211542.tif 000002
【実用新案登録請求の範囲】
【請求項１】
管状体の端部に設けられるフランジの端面を養生するためのフランジ養生カバーであって、
前記フランジの端面に設けた際に、前記フランジ中央のフランジ孔を塞ぐとともに、前記フランジ孔の周囲に設けられ前記フランジが有する複数の締結用の孔を塞がない大きさの板状の養生カバー本体部と、前記フランジの前記締結用の孔へ挿入し固定するための前記養生カバー本体部の縁部から外方へ向かって設けられた細長い固定部とを備えていることを特徴とするフランジ養生カバー。
【請求項２】
前記養生カバー本体部と、前記固定部は、可撓性を有する材料により形成されていることを特徴とする請求項１記載のフランジ養生カバー。
【請求項３】
前記養生カバー本体部と、前記固定部は、同じ材料で形成されていることを特徴とする請求項１記載のフランジ養生カバー。
【請求項４】
前記固定部は、前記フランジが有する複数の前記締結用の孔の数よりも少ない数であることを特徴とする請求項１記載のフランジ養生カバー。
【請求項５】
前記固定部の先端には、前記フランジの前記管状体が設けられる側の面に係合する係合部が形成されていることを特徴とする請求項１記載のフランジ養生カバー。
【考案の詳細な説明】
【技術分野】
【０００１】
本考案は、管状体の端部に設けられるフランジの端面を養生するためのフランジ養生カバーに関するものである。
【背景技術】
【０００２】
従来から、管状体の端部に設けられるフランジの端面を、製造後から現場で使用されるまで養生するためのフランジ養生カバーが知られ、実施に供されている。
【０００３】
しかしながら、特許文献１に開示された技術をはじめ、従来一般に広く実施されてきたフランジ養生カバーでは、フランジの端面全体を覆うものであったので、多くの材料を用いて製造しなければならず、材料費が嵩むため、製造コストが高くなるという問題があった。
【先行技術文献】
【特許文献】
【０００４】
【特許文献１】特開平０６−２５７６９９号公報
【考案の概要】
【考案が解決しようとする課題】
【０００５】
本考案は、以上のような従来の問題を解消するためのものであって、その課題は、少ない材料で製造することができ、材料費が嵩まず、製造コストを低減することができるフランジ養生カバーを提供することにある。
【課題を解決するための手段】
【０００６】
前記課題を解決するために、請求項１記載の考案にあっては、管状体の端部に設けられるフランジの端面を養生するためのフランジ養生カバーであって、前記フランジの端面に設けた際に、前記フランジ中央のフランジ孔を塞ぐとともに、前記フランジ孔の周囲に設けられ前記フランジが有する複数の締結用の孔を塞がない大きさの板状の養生カバー本体部と、前記フランジの前記締結用の孔へ挿入し固定するための前記養生カバー本体部の縁部から外方へ向かって設けられた細長い固定部とを備えていることを特徴とする。
【０００７】
従って、請求項１記載の考案に係るフランジ養生カバーは、前記フランジの端面の一部だけを覆うので、従来一般に広く実施されてきたフランジの端面全体を覆うフランジ養生カバーに比して、少ない材料で製造することができる。
【０００８】
請求項２記載の考案にあっては、前記養生カバー本体部と、前記固定部は、可撓性を有する材料により形成されていることを特徴とする。
【０００９】
従って、前記フランジ養生カバーを、前記フランジの端面への着脱時に撓ませることができる。
【００１０】
請求項３記載の考案にあっては、前記養生カバー本体部と、前記固定部は、同じ材料で形成されていることを特徴とする。
【００１１】
従って、前記フランジ養生カバーを一体成型で製造することができる。
【００１２】
請求項４記載の考案にあっては、前記固定部は、前記フランジが有する複数の前記締結用の孔の数よりも少ない数であることを特徴とする。
【００１３】
従って、前記固定部が固定されていない前記フランジの前記締結用の孔には現場で必要となる締結部材としてのボルト及びナットなどを取り付けた状態で顧客へ納品することができる。
【００１４】
請求項５記載の考案にあっては、前記固定部の先端には、前記フランジの前記管状体が設けられる側の面に係合する係合部が形成されていることを特徴とする。
【００１５】
従って、前記フランジに揺れなどが与えられても、前記フランジ養生カバーが前記フランジの端面からより外れ難くなる。
【考案の効果】
【００１６】
請求項１記載のフランジ養生カバーにあっては、管状体の端部に設けられるフランジの端面を養生するためのフランジ養生カバーであって、前記フランジの端面に設けた際に、前記フランジ中央のフランジ孔を塞ぐとともに、前記フランジ孔の周囲に設けられ前記フランジが有する複数の締結用の孔を塞がない大きさの板状の養生カバー本体部と、前記フランジの前記締結用の孔へ挿入し固定するための前記養生カバー本体部の縁部から外方へ向かって設けられた細長い固定部とを備えた構成とされている。
本考案に係る請求項１のフランジ養生カバーは、前記フランジの前記フランジ孔のシール部材が設けられる部分さえ傷が付いたりして前記フランジの端面の加工精度が劣化していなければ納品する製品の品質に問題が無いことを考案者が独自に発見したことに基づき成されており、前記フランジの端面の一部だけを覆うので、従来一般に広く実施されてきたフランジの端面全体を覆うフランジ養生カバーに比して、少ない材料で製造することができる。
その結果、少ない材料で製造することができる分、材料費が嵩まず、製造コストを低減することができる。
【００１７】
請求項２記載のフランジ養生カバーにあっては、前記養生カバー本体部と、前記固定部は、可撓性を有する材料により形成されている。
従って、前記フランジ養生カバーを、前記フランジの端面への着脱時に撓ませることができる。
その結果、前記フランジ養生カバーを、道具などを使わずに人の手で容易に着脱することができる。
【００１８】
請求項３記載のフランジ養生カバーにあっては、前記養生カバー本体部と、前記固定部は、同じ材料で形成されている。
従って、前記フランジ養生カバーを一体成型で製造することができる。
その結果、前記フランジ養生カバーを、組立製造するよりも手間の掛からない一体成型で製造することができるので、より製造コストを低減することができる。
【００１９】
請求項４記載のフランジ養生カバーにあっては、前記固定部は、前記フランジが有する複数の前記締結用の孔の数よりも少ない数である。
従って、前記固定部が固定されていない前記フランジの前記締結用の孔には現場で必要となる締結部材としてのボルト及びナットを取り付けた状態で顧客へ納品することができる。
その結果、前記フランジの端面に前記フランジ養生カバーを取り付けた納品状態の製品は、現場での管状体同士の接続のために締結部材としてのボルト及びナットなどを探す手間を省くことができる。
【００２０】
請求項５記載のフランジ養生カバーにあっては、前記固定部の先端には、前記フランジの前記管状体が設けられる側の面に係合する係合部が形成されている。
従って、前記フランジに揺れなどが与えられても、前記フランジ養生カバーが前記フランジの端面からより外れ難くなる。
その結果、トラックや船などの輸送手段による輸送中などでも、前記フランジ養生カバーが前記フランジの端面からより外れ難くなるので、前記フランジの端面に前記フランジ養生カバーを取り付けた納品状態の製品の品質を確保することができる。
【図面の簡単な説明】
【００２１】
【図１】図１は、本考案に係る実施の形態のフランジ養生カバーを、フランジの端面に取り付けた状態を示す正面図である。
【図２】図２は、図１におけるＡ−Ａ線矢視断面図である。
【図３】図３は、フランジにシール部材を設ける箇所を説明するための説明図である。
【図４】図１において、フランジのボルト孔にボルト及びナットを取り付けた状態を示す正面図である。
【図５】図５は、図４におけるＢ−Ｂ線矢視断面図である。
【考案を実施するための形態】
【００２２】
以下、本考案に係るフランジ養生カバーを、実施の形態に基づき、図面を参照して説明する。
【００２３】
先ず、実施の形態の構成について説明する。
図１及び図２は、本考案に係る実施の形態のフランジ養生カバー１０の概略構成を示している。
【００２４】
この実施の形態のフランジ養生カバー１０は、図１及び図２に示したように、管状体１１の端部に設けられるフランジ１２の端面を養生するためのフランジ養生カバーである。
【００２５】
そして、フランジ１２の端面に設けた際に、フランジ１２中央のフランジ孔１３を塞ぐとともに、フランジ孔１３の周囲に設けられフランジ１２が有する複数の締結用の孔としてのボルト孔１４，・・・を塞がない大きさの円形板状の養生カバー本体部１０ａと、フランジ１２のボルト孔１４，・・・へ挿入し固定するための養生カバー本体部１０ａの縁部から外方へ向かって設けられた細長い固定部１０ｂ，・・・とを備えた構成とされている。
【００２６】
ここで、養生カバー本体部１０ａと、固定部１０ｂ，・・・は、可撓性を有する合成樹脂などの材料により形成されている。
【００２７】
また、養生カバー本体部１０ａと、固定部１０ｂ，・・・を形成するこの材料は、同じものである。
【００２８】
さらに、固定部１０ｂ，・・・は、フランジ１２が有する複数の締結用の孔としてのボルト孔１４，・・・の数よりも少ない数である。
【００２９】
本実施の形態においては、フランジ１２が有するボルト孔１４，・・・の数は１２個で、固定部１０ｂ，・・・の数は４つとしており、固定部１０ｂ，・・・は、それぞれ互いに直角となる配置関係において、上下、左右のボルト孔１４，・・・にそれぞれ対応するように配設されている。
【００３０】
また、固定部１０ｂ，・・・は、図２に示したように、ボルト孔１４へ挿入し易いようにＬ字状に形成され、その先端には、フランジ１２の管状体１１が設けられる側の面に係合する係合部としての係合突起１８がそれぞれ形成されている。
【００３１】
次に、実施の形態の作用効果について説明する。
【００３２】
この本考案に係る実施の形態のフランジ養生カバー１０は、管状体１１の端部に設けられるフランジ１２の端面を養生するためのフランジ養生カバーであって、フランジ１２の端面に設けた際に、フランジ１２中央のフランジ孔１３を塞ぐとともに、フランジ孔１３の周囲に設けられフランジ１２が有する複数の締結用の孔としてのボルト孔１４，・・・を塞がない大きさの円形板状の養生カバー本体部１０ａと、フランジ１２のボルト孔１４，・・・へ挿入し固定するための養生カバー本体部１０ａの縁部から外方へ向かって設けられた細長い固定部１０ｂ，・・・とを備えた構成とされている。
【００３３】
本考案に係る実施の形態のフランジ養生カバー１０は、図３に示したように、フランジ１２のフランジ孔１３の二点鎖線で示した水密性や気密性を高めるためのシール部材１５が設けられる部分さえ傷が付いたりしてフランジ１２の端面の加工精度が劣化していなければ納品する製品の品質に問題が無いことを考案者が独自に発見したことに基づき成されており、フランジ１２の端面の一部だけを覆うので、従来一般に広く実施されてきたフランジ１２の端面全体を覆うフランジ養生カバーに比して、少ない材料で製造することができる。
その結果、少ない材料で製造することができる分、材料費が嵩まず、製造コストを低減することができる。
【００３４】
ここで、養生カバー本体部１０ａと、固定部１０ｂ，・・・は、可撓性を有する合成樹脂などの材料により形成されている。
従って、フランジ養生カバー１０を、フランジ１２の端面への着脱時に撓ませることができる。
その結果、フランジ養生カバー１０を、道具などを使わずに人の手で容易に着脱することができる。
【００３５】
また、養生カバー本体部１０ａと、固定部１０ｂ，・・・は、同じ合成樹脂などの材料で形成されている。従って、フランジ養生カバー１０を一体成型で製造することができる。
その結果、フランジ養生カバーを、組立製造するよりも手間の掛からない一体成型で製造することができるので、より製造コストを低減することができる。
【００３６】
さらに、固定部１０ｂ，・・・は４つであり、フランジ１２が有する複数の締結用の孔としての１２個のボルト孔１４，・・・の数よりも少ない。
従って、図４及び図５に示したように、固定部１０ｂ，・・・が固定されていないフランジ１２の締結用の孔としてのボルト孔１４，・・・には現場で必要となる締結部材としてのボルト１６，・・・及びナット１７，・・・を取り付けた状態で顧客へ納品することができる。
その結果、フランジ１２の端面にフランジ養生カバー１０を取り付けた納品状態の製品は、現場での管状体１１，１１同士の接続のために締結部材としてのボルト１６，・・・及びナット１７，・・・を探す手間を省くことができる。
【００３７】
また、固定部１０ｂ，・・・の先端には、フランジ１２の管状体１１が設けられる側の面に係合する係合部としての係合突起１８がそれぞれ形成されている。
従って、フランジ１２に揺れなどが与えられても、フランジ養生カバー１０がフランジ１２の端面からより外れ難くなる。
その結果、トラックや船などの輸送手段による輸送中などでも、フランジ養生カバー１０がフランジ１２の端面からより外れ難くなるので、フランジ１２の端面にフランジ養生カバー１０を取り付けた納品状態の製品の品質を確保することができる。
【００３８】
以上、本考案に係るフランジ養生カバーの実施の形態について図面を参照して詳述してきたが、具体的な構成は、この実施の形態に限らず、本考案の要旨を逸脱しない程度の設計的変更は、本考案に含まれる。
【００３９】
例えば、上記した実施の形態では、養生カバー本体部１０ａを円形板状としたが、これに限定されず、フランジ１２の端面に設けた際に、フランジ１２中央のフランジ孔１３を塞ぐとともに、フランジ孔１３の周囲に設けられフランジ１２が有する複数の締結用の孔としてのボルト孔１４，・・・を塞がない大きさの板状であり、シール部材１５が設けられる部分を保護する形状であれば、如何なる形状であってもよい。
【００４０】
また、上記した実施の形態では、固定部１０ｂを４つとしたが、フランジ１２の端面へ安定して固定することができれば、この数に限定されない。
【００４１】
さらに、上記した実施の形態では、フランジ養生カバー１０を、フランジ１２が管状体１１に固定される固定型フランジに適用したが、これに限定されず、フランジ１２が管状体１１に回転可能に取り付けられるルーズ型フランジなどに適用することもできる。なお、この際、フランジ１２が回転しても、フランジ養生カバー１０は、管状体１１とは独立しているので、この回転に起因する外れはない。
【産業上の利用可能性】
【００４２】
本考案に係るフランジ養生カバーは、締結用の孔にボルトとナットなどの締結部材を用いて繋ぐ様々な種類の管状体の端部に設けられるフランジの端面を養生するためのフランジ養生カバーとして広く適用することができるので、産業上利用可能性を有している。
【符号の説明】
【００４３】
１０    フランジ養生カバー
１０ａ  養生カバー本体部
１０ｂ  固定部
１１    管状体
１２    フランジ
１３    フランジ孔
１４    ボルト孔（締結用の孔）
１５    シール部材
１６    ボルト（締結部材）
１７    ナット（締結部材）
１８    係合突起（係合部）
【図１】
0003211542.tif 000003
【図２】
0003211542.tif 000004
【図３】
0003211542.tif 000005
【図４】
0003211542.tif 000006
【図５】
0003211542.tif 000007